(57)【特許請求の範囲】
【請求項１】
２本の丸鋼材を遊挿できる丸鋼材貫通孔を有する接合固定金具に、前記丸鋼材貫通孔に対して直交方向に丸鋼材固定用ボルトのボルト挿通孔を貫通して設け、
前記丸鋼材固定用ボルトの端部にネジ部を設け、他端部に２本の丸鋼材を固定するためのテーパー部を設け、
前記テーパー部は、ネジ部側から先端側かけて広がる形状を有し、
前記接合固定金具のボルト挿通孔に、前記丸鋼材固定用ボルトを挿通した状態で前記テーパー部の両側に前記丸鋼材を前記丸鋼材貫通孔に遊挿して位置させ、
前記ネジ部にナットを螺着して締付固定し、
前記丸鋼材固定用ボルトに引張力を与えて前記テーパー部により前記２本の丸鋼材を、それぞれ前記接合固定金具の丸鋼材貫通孔に押し付けて接合固定するように構成し、
前記接合固定金具の前記ナットと接する側に、カラーにより内ネジを設けない部分を設けたことを特徴とする丸鋼材接合固定装置。
【発明の詳細な説明】
【０００１】
【発明の属する技術分野】
この発明は、丸鋼材接合固定装置に関し、特に大きな引張荷重がその長手方向に加わる２本の鋼棒や長ボルト等の丸鋼材を接合固定する丸鋼材接合固定装置に関するものである。
【０００２】
【従来の技術】
擁壁等の角度の付いたコンクリート躯体を打設するための、型枠を保持する丸鋼材は、各段毎に長さの異なるものを必要とするが、この寸方別に丸鋼材の長さを求め製品を製造するのは、納期がかかる。このため、現場で簡単に所定の長さの丸鋼材を作ることができる接合固定装置が要望されており、この一例として棒鋼材接合固定装置が実公平７−５１５６号公報に開示されている。
【０００３】
【発明が解決しようとする課題】
この実公平７−５１５６号公報に開示される棒鋼材接合固定装置は、楔材をボルト受け金具のねじ孔に挿入して、その下方部を小径の円形開口部に貫挿し、楔材の上方より締付けボルトを螺挿することにより、楔材が下降して２本の棒鋼材間に圧入されると共に、更に締付けボルトを締付けると、楔材の喰い込み縁が２本の棒鋼材に喰い込み、２本の棒鋼材が接合固定されるものであり、楔材を受け金具のねじ孔に落とし込んで挿入しなければならないため、常に受け金具のねじ孔を上方に位置させないと使用することができず、作業効率が悪く、使用箇所も制限される。
【０００４】
また、楔材を受け金具のねじ孔に落とし込んで挿入するため、楔材の下方部が常に２本の棒鋼材間に入り込むとは限らず、楔材の向きによっては２本の棒鋼材間に入り込まないで引っかかった状態になることがあり、この状態では締付けボルトを螺挿しても楔材を押圧しても２本の棒鋼材間に入り込むことがなく押圧するだけであるから確実に２本の棒鋼材を接合固定することができない。
【０００５】
さらに、楔材の向きを変えると２本の棒鋼材間に入り込ませることができるが、楔材は受け金具のねじ孔に入り込んでおり、楔材の向きを容易に変えることができず、２本の棒鋼材に引っかかった状態を解消することは困難であり、作業性が悪い。
【０００６】
また、楔材が固定金具の長ナットと反対側から輸送中に脱落したり、取付中に脱落したりして、使い勝手が悪い等の問題がある。
【０００７】
この発明は、かかる点に鑑みてなされたもので、２本の丸鋼材を簡単且つ確実に接合固定でき、かつ作業性がよい丸鋼材接合固定装置を提供することを目的としている。
【０００８】
【課題を解決するための手段】
前記課題を解決し、かつ目的を達成するために、この発明は、以下のように構成した。
【０００９】
請求項１記載の発明は、
『２本の丸鋼材を遊挿できる丸鋼材貫通孔を有する接合固定金具に、前記丸鋼材貫通孔に対して直交方向に丸鋼材固定用ボルトのボルト挿通孔を貫通して設け、
前記丸鋼材固定用ボルトの端部にネジ部を設け、他端部に２本の丸鋼材を固定するためのテーパー部を設け、
前記テーパー部は、ネジ部側から先端側かけて広がる形状を有し、
前記接合固定金具のボルト挿通孔に、前記丸鋼材固定用ボルトを挿通した状態で前記テーパー部の両側に前記丸鋼材を前記丸鋼材貫通孔に遊挿して位置させ、
前記ネジ部にナットを螺着して締付固定し、
前記丸鋼材固定用ボルトに引張力を与えて前記テーパー部により前記２本の丸鋼材を、それぞれ前記接合固定金具の丸鋼材貫通孔に押し付けて接合固定するように構成し、
前記接合固定金具の前記ナットと接する側に、カラーにより内ネジを設けない部分を設けたことを特徴とする丸鋼材接合固定装置。』である。
【００１０】
この請求項１記載の発明によれば、接合固定金具のボルト挿通孔に丸鋼材固定用ボルトを挿通した状態で、テーパー部の両側に丸鋼材を丸鋼材貫通孔に遊挿することで、テーパー部の両側に丸鋼材を容易に位置させることができる。また、丸鋼材固定用ボルトのネジ部にナットを螺着して締付固定し、丸鋼材固定用ボルトに引張力を与えてテーパー部により２本の丸鋼材をそれぞれ接合固定金具の丸鋼材貫通孔に押し付けて接合固定するから、丸鋼材固定用ボルトにより２本の丸鋼材を簡単且つ確実に接合固定でき、かつ作業性がよい。丸鋼材固定用ボルトのテーパー部は、ネジなし部をプレスにより潰すだけの簡単な加工で、所定の形状が得られる。また、接合固定金具のナットと接する側がカラーにより内ネジを設けない部分により補強され、丸鋼材固定用ボルトの余長を逃してナットにより確実に締付固定することができる。
【００１９】
【発明の実施の形態】
以下、この発明の丸鋼材接合固定装置の実施の形態を、図面に基づいて説明する。先ず、第１の実施の形態を図１乃至図９に基づいて説明する。図１は丸鋼材接合固定装置の組み立て分解斜視図、図２は丸鋼材接合固定装置の正面図、図３は丸鋼材接合固定装置の側面図、図４は接合固定金具の正面図、図５は図４のV-V線に沿う断面図、図６は接合固定金具の底面図、図７は丸鋼材固定用ボルトの正面図、図８は丸鋼材固定用ボルトの平面図、図９は丸鋼材固定用ボルトの断面図であり、図９（ａ）は図７のａ−ａ線に沿う断面図、図９（ｂ）は図７のｂ−ｂ線に沿う断面図、図９（ｃ）は他の実施の形態を図７のｂ−ｂ線に沿う断面として示す図である。
【００２０】
丸鋼材接合固定装置１は、接合固定金具２、丸鋼材固定用ボルト３及びナット４から構成され、擁壁等の角度の付いたコンクリート躯体を打設するための、型枠を保持する丸鋼材５，６を各段毎に長さの異なるようにするために用いられる。
【００２１】
接合固定金具２のボルト挿通孔２ａ，２ｂに、丸鋼材固定用ボルト３を挿通した状態でテーパー部３ａの両側に丸鋼材５，６を丸鋼材貫通孔２ｃに遊挿して位置させ、ネジ部３ｂにナット４を螺着して締付固定し、丸鋼材固定用ボルト３に引張力を与えてテーパー部３ａにより２本の丸鋼材５，６をそれぞれ接合固定金具２の丸鋼材貫通孔２ｃに押し付けて接合固定するように構成している。
【００２２】
接合固定金具２は、パイプ材２０にカラー２１を溶接して構成される。パイプ材２０は、２本の丸鋼材５，６を遊挿できる丸鋼材貫通孔２ｃを有し、丸鋼材貫通孔２ｃに対して直交方向に丸鋼材固定用ボルト３のボルト挿通孔２ａ，２ｂが貫通して設けられている。カラー２１の孔２１ａとパイプ材２０のカラー２１が溶接された側のボルト挿通孔２ａは、略同径に形成され、カラー２１が溶接されない側のボルト挿通孔２ｂは楕円形状に形成されている。パイプ材２０の内部の両端部には、突起２ｄが環状に設けられ、この突起２ｄが丸鋼材５，６に食い込み大きな定着力が得られる。突起２ｄは、断面を半円状に形成して丸鋼材が自由に動けるようにして組付けが容易になるようにしているが、断面三角状に形成してより定着性を確実になるようにしてもよい。
【００２３】
また、ナット４の接合固定金具２と接する側に、カラー２１により内ネジを設けない部分が設けられ、このカラー２１により補強し、かつ丸鋼材固定用ボルト３の余長を逃してナット４により確実に締付固定することができる。
【００２４】
丸鋼材固定用ボルト３は、その端部にネジ部３ｂを設け、他端部に２本の丸鋼材を固定するためのテーパー部３ａを設け、このテーパー部３ａの押圧面には、ボルト軸方向に平行な突起３ａ１が一対設けられており、この突起３ａ１が丸鋼材５，６に押圧されることで大きな定着力が得られる。突起３ａ１は、図９（ｂ）に示すように先端部を尖らせて形成しているが、図９（ｃ）に示すように先端部をさらに尖らせて形成してもよく、より大きな定着力が得られる。
【００２５】
接合固定金具２と丸鋼材固定用ボルト３の組み付けは、丸鋼材固定用ボルト３のテーパー部３ａが設けられる丸棒にネジ部３ｂが形成され、テーパー部３ａをカラー２１の孔２１ａとパイプ材２０のカラー２１が溶接された側のボルト挿通孔２ａに挿通し、さらにボルト挿通孔２ｂに挿通し、このボルト挿通孔２ｂから突出するテーパー部３ａを潰してテーパー部３ａがボルト挿通孔２ｂから抜けないようにする。そして、ネジ部３ｂにナット４を螺着し、接合固定金具２、丸鋼材固定用ボルト３及びナット４が組み付けられ、輸送中や取扱中にばらけないので取扱いが簡単である。
【００２６】
このように接合固定金具２のボルト挿通孔２ａ，２ｂに丸鋼材固定用ボルト３を挿通した状態で、テーパー部３ａの両側に丸鋼材５，６をそれぞれ丸鋼材貫通孔２ｃに遊挿することで、テーパー部３ａの両側に丸鋼材５，６を容易に位置させることができる。また、丸鋼材固定用ボルト３のネジ部３ｂにナット４を螺着して締付固定し、丸鋼材固定用ボルト３に引張力を与えてテーパー部３ａにより２本の丸鋼材５，６をそれぞれ丸鋼材貫通孔２ｃに押し付けて接合固定するから、丸鋼材固定用ボルト３により２本の丸鋼材５，６を簡単且つ確実に接合固定でき、かつ締付後、テーパー部３ａのテーパー部３ａを潰した部分がパイプ材２０に当たったら、締付が完了とする目印とすることができる等作業性がよい。また、丸鋼材固定用ボルト３のテーパー部３ａは、簡単な加工で、所定の形状が得られる。
【００２７】
丸鋼材固定用ボルト３のテーパー部３ａは、突起２ｄが丸鋼材５，６に食い込み大きな定着力が得られてすべりを防止し、かつ強度アップを図ることができ、さらに小さなトルクでナット４を回転させられるようにすることができる。なお、テーパー部３ａは押圧面を持っているので２本の丸鋼材５，６の間に挟まり、ナット４を回転しても廻ることはない。
【００２８】
次に、第２の実施の形態を図１０乃至図１５に基づいて説明する。図１０は丸鋼材接合固定装置の正面図、図１１は丸鋼材接合固定装置の底面図、図１２は丸鋼材固定用ボルトの正面図、図１３は図１２のＸＩＩＩ−ＸＩＩＩ線に沿う断面図、図１４は丸鋼材固定用ボルトのさらに他の実施の形態を示す丸鋼材接合固定装置の底面図である。
【００２９】
この第２の実施の形態では、丸鋼材固定用ボルト３のテーパー部３ａが、丸棒をプレス加工でつぶして所定形状に切断して形成し、テーパー部３ａの先端部にはボルト挿通孔２ｂに係止されて抜け止めとなる抜け止め部３ａ２を設けている。
【００３０】
この第２の実施の形態の接合固定金具２は、カラー２１が溶接されない側のボルト挿通孔２ｂが、丸鋼材固定用ボルト３のネジ部３ｂ及びテーパー部３ａを挿入可能で、かつ抜け止め部３ａ２が係止可能な形状に形成されている。丸鋼材固定用ボルト３は、そのネジ部３ｂからボルト挿通孔２ｂに挿入し、ボルト挿通孔２ａを介してカラー２１より突出するネジ部３ｂにナット４を螺着して組み付けられる。
【００３１】
また、テーパー部３ａの抜け止め部３ａ２は、図１４（ａ），（ｂ），（ｃ）に示すように形成してもよく、このようにテーパー部３ａの抜け止め部３ａ２は、例えばテーパー部３ａの先端を潰し加工を施し、テーパー部先端を大きくすることにより形成され、丸鋼材固定用ボルト３にナット４を螺着することで抜け止め部３ａ２が、接合固定金具２のボルト挿通孔２ｂに係止されて抜け止めとなるため、輸送中や取扱中にばらけないので取扱いが簡単である。
【００３２】
この第２の実施の形態で第１の実施の形態と同様に、接合固定金具２のボルト挿通孔２ａ，２ｂに、丸鋼材固定用ボルト３を挿通した状態でテーパー部３ａの両側に丸鋼材５，６を丸鋼材貫通孔２ｃに遊挿して位置させ、ネジ部３ｂにナット４を螺着して締付固定し、丸鋼材固定用ボルト３に引張力を与えてテーパー部３ａにより２本の丸鋼材５，６をそれぞれ接合固定金具２の丸鋼材貫通孔２ｃに押し付けて接合固定することができ、締付後、テーパー部３ａの抜け止め部３ａ２がパイプ材２０に当たったら、締付が完了とする目印とする。
【００３３】
図１５乃至図１７は丸鋼材固定用ボルトの他の実施の形態を示し、図１５は丸鋼材固定用ボルトの正面図、図１６は丸鋼材固定用ボルトの平面図、図１７は丸鋼材固定用ボルトの断面図であり、図１７（ａ）は図１５のａ−ａ線に沿う断面図、図１７（ｂ）は図１５のｂ−ｂ線に沿う断面図である。
【００３４】
この実施の形態の丸鋼材固定用ボルト３は、テーパー部３ａが丸棒を切削加工して形成され、テーパー部３ａの両側３ａ３を切り欠いて中央部に平坦な突起３ａ１を形成し、この平坦な突起３ａ１により２本の丸鋼材５，６をそれぞれ接合固定金具２の丸鋼材貫通孔２ｃに押し付けて接合固定することができるようになっている。このテーパー部３ａの先端部に、ボルト挿通孔２ｂに係止されて抜け止めとなる抜け止め部３ａ２を設けてもよい。
【００３５】
また、丸鋼材固定用ボルト３は、図１８（ａ），（ｂ），（ｃ），（ｄ）に示すように形成することができる。図１８（ａ）はテーパー部３ａの両側に平坦な突起３ａ１が設けられ、図１８（ｂ）はテーパー部３ａの両側に鋭角な突起３ａ１が設けられ、図１８（ｃ）はテーパー部３ａの中央に鋭角な突起３ａ１が設けられ、図１８（ｄ）はテーパー部３ａの突起３ａ１が図１８（ｃ）と同様に鋭角に形成されているが、テーパー部自体がネジ部３ｂより広幅に形成されて強度を向上させている。
【００３６】
さらに、丸鋼材固定用ボルト３は、図１９（ａ），（ｂ）に示すようにして加工して形成することができる。図１９（ａ）の実施の形態では、ストレートの丸棒１００からプレス加工により潰してテーパー部３ａを形成し、ネジ部３ｂは切削または転造により形成され、ネジ部３ｂとテーパー部３ａの幅Ｌ１，Ｌ２が同じ大きさに形成されている。図１９（ｂ）の実施の形態では、２段にしたストレートの丸棒１０１からプレス加工により潰してテーパー部３ａを形成し、ネジ部３ｂは切削または転造により形成され、ネジ部３ｂとテーパー部３ａの幅Ｌ３，Ｌ４は、幅Ｌ３より幅Ｌ４が大きく形成されている。また、例えば金型にストレートの丸棒を入れて打撲するヘッダー加工により潰してテーパー部を形成し、その後ネジ部は切削または転造により形成される。
【００３７】
次に、接合固定金具２の他の実施の形態を図２０に示す。この実施の形態の接合固定金具２は、パイプ材２０のナット４が螺着される側に肉厚部２０ｃを一体に設けており、肉厚部２０ｃによりカラー２１が構成される。カラー２１を肉厚部２０ｃにより形成することで、接合固定金具２のナット４が螺着される側が肉厚部２０ｃにより補強され、かつ丸鋼材固定用ボルト３の余長を逃して汎用のナット４により確実に締付固定することができる。接合固定金具２の肉厚部２０ｃは、さらにパイプ部材を溶接或いは突起付きパイプ部材をカシメ加工等の手段で取り付けても良い。
【００３８】
接合固定金具２のさらに他の実施の形態を図２１及び図２２に示す。図２１の実施の形態の接合固定金具２は、パイプ材２０の内壁２０ｄに螺旋形状を形成し、この螺旋形状の内壁２０ｄにより２本の丸鋼材５，６のすべりを抑えることができる。また、図２２の実施の形態の接合固定金具２は、パイプ材２０の内壁２０ｄを八角形にしてテーパ面を形成し、このテーパ面の内壁２０ｅにより２本の丸鋼材５，６のすべりを抑えることができる。
【００３９】
次に、ナット４の他の実施の形態を図２３に示す。この実施の形態のナット４は、  接合固定金具２と接する側に、内ネジを設けない部分４ａを設けており、ナット４の接合固定金具２と接する側が内ネジを設けない部分４ａにより補強され、かつ丸鋼材固定用ボルト３の余長を逃してナット４により確実に締付固定することができる。
【００４０】
【発明の効果】
前記したように、請求項１記載の発明では、接合固定金具のボルト挿通孔に丸鋼材固定用ボルトを挿通した状態で、テーパー部の両側に丸鋼材を丸鋼材貫通孔に遊挿するから、テーパー部の両側に丸鋼材を容易に位置させることができる。また、丸鋼材固定用ボルトのネジ部にナットを螺着して締付固定し、丸鋼材固定用ボルトに引張力を与えてテーパー部により２本の丸鋼材をそれぞれ接合固定金具の丸鋼材貫通孔に押し付けて接合固定するから、丸鋼材固定用ボルトにより２本の丸鋼材を簡単且つ確実に接合固定でき、かつ作業性がよい。また、丸鋼材固定用ボルトのテーパー部は、ネジなし部をプレスにより潰すだけの簡単な加工で、所定の形状が得られる。また、接合固定金具のナットと接する側がカラーにより内ネジを設けない部分により補強され、丸鋼材固定用ボルトの余長を逃してナットにより確実に締付固定することができる。
【図面の簡単な説明】
【図１】丸鋼材接合固定装置の組み立て分解斜視図である。
【図２】丸鋼材接合固定装置の正面図である。
【図３】丸鋼材接合固定装置の側面図である。
【図４】接合固定金具の正面図である。
【図５】図４のV-V線に沿う断面図である。
【図６】接合固定金具の底面図である。
【図７】丸鋼材固定用ボルトの正面図である。
【図８】丸鋼材固定用ボルトの平面図である。
【図９】丸鋼材固定用ボルトの断面図である。
【図１０】丸鋼材接合固定装置の正面図である。
【図１１】丸鋼材接合固定装置の底面図である。
【図１２】丸鋼材固定用ボルトの正面図である。
【図１３】図１２のＸＩＩＩ−ＸＩＩＩ線に沿う断面図である。
【図１４】丸鋼材固定用ボルトのさらに他の実施の形態を示す丸鋼材接合固定装置の底面図である。
【図１５】丸鋼材固定用ボルトの正面図である。
【図１６】丸鋼材固定用ボルトの平面図である。
【図１７】丸鋼材固定用ボルトの断面図である。
【図１８】丸鋼材固定用ボルトの他の実施の形態を示す斜視図である。
【図１９】丸鋼材固定用ボルトの加工の実施の形態を示す斜視図である。
【図２０】接合固定金具の正面図である。
【図２１】接合固定金具の他の実施の形態を示す図である。
【図２２】接合固定金具の他の実施の形態を示す正面図である。
【図２３】ナットの他の実施の形態を示す断面図である。
【符号の説明】
１  丸鋼材接合固定装置
２  接合固定金具
２ａ，２ｂ  ボルト挿通孔
２ｃ  丸鋼材貫通孔
３  丸鋼材固定用ボルト
３ａ  テーパー部
３ｂ  ネジ部
４  ナット
５，６  丸鋼材
【図１】
0003972134.tif 000002
【図２】
0003972134.tif 000003
【図３】
0003972134.tif 000004
【図４】
0003972134.tif 000005
【図５】
0003972134.tif 000006
【図６】
0003972134.tif 000007
【図７】
0003972134.tif 000008
【図８】
0003972134.tif 000009
【図９】
0003972134.tif 000010
【図１０】
0003972134.tif 000011
【図１１】
0003972134.tif 000012
【図１２】
0003972134.tif 000013
【図１３】
0003972134.tif 000014
【図１４】
0003972134.tif 000015
【図１５】
0003972134.tif 000016
【図１６】
0003972134.tif 000017
【図１７】
0003972134.tif 000018
【図１８】
0003972134.tif 000019
【図１９】
0003972134.tif 000020
【図２０】
0003972134.tif 000021
【図２１】
0003972134.tif 000022
【図２２】
0003972134.tif 000023
【図２３】
0003972134.tif 000024